(57)【要約】【課題】共有デバイスのレンタル操作及びリサイクルを容易にするようなレンタル装置、方法及びシステムを提供する。【解決手段】本発明に係る共有デバイスのレンタル装置、方法及びシステムは、電子技術分野に用いられ、共有デバイスレンタル装置は、キャビネットと、電源管理モジュールと、キャビネットの中に設けられたメインチップ、電磁ロック、収納スロット、バックル及びスプリングと、を含み、メインチップは、電源管理モジュールと電磁ロックに電気的に接続され、バックルとスプリングは、収納スロットの中に設けられ、電磁ロックは、バックルに連接され、メインチップは、電磁ロックを制御してバックルを開かせるか又はロックさせ、スプリングは、バックルが電磁ロックによって開かれた後に、収納スロットの中に挿入された共有デバイスを弾き出させる。上記の共有デバイスレンタル装置、方法及びシステムは、共有デバイスを便利に取り出し及びリサイクルして、レンタル装置の使い易さを向上することができる。
2021501922.tif 000002
【特許請求の範囲】
【請求項１】
キャビネットと、電源管理モジュールと、前記キャビネットの中に設けられたメインチップ、電磁ロック、収納スロット、バックル及びスプリングと、を含む共有デバイスレンタル装置であって、
前記メインチップは、前記電源管理モジュールと前記電磁ロックに電気的に接続されており、前記バックルと前記スプリングは、前記収納スロットの中に設けられ、前記電磁ロックは、前記バックルに連接され、
前記メインチップは、前記電磁ロックを制御して前記バックルを開かせるか又はロックさせ、
前記スプリングは、前記バックルが前記電磁ロックによって開かれた後に、前記収納スロットの中に挿入された共有デバイスを弾き出させることを特徴とする共有デバイスレンタル装置。
【請求項２】
前記共有デバイスレンタル装置は、前記メインチップと前記電磁ロックとに電気的に接続された制御ボードをさらに含み、前記電磁ロックは、接続ロッドとドライバーを含み、前記収納スロットにおけるその底部に対して垂直である一方側には、凸部が設けられており、前記バックルの一端は前記接続ロッドに固定され、前記バックルの他端は前記凸部に固定され、
前記制御ボードは、さらに前記ドライバーに電気的に接続されて、前記メインチップからの制御指令に応答して、前記接続ロッドを動かして前記収納スロットの底部と平行な方向に沿って移動させるように前記ドライバーを制御し、且つ前記メインチップに制御結果をフィードバックすることを特徴とする請求項１に記載の共有デバイスレンタル装置。
【請求項３】
前記収納スロットの内部の下端には、電源ピンが設けられており、前記電源ピンは、前記電源管理モジュールに電気的に接続された正極電源ピンと負極電源ピンを含み、前記共有デバイスの末端には、正極充電接点と負極充電接点が設けられており、
前記メインチップは、前記共有デバイスの正極充電接点と負極充電接点が前記収納スロットの正極電源ピンと負極電源ピンとにそれぞれ接触する時に、前記共有デバイスに充電することを特徴とする請求項１に記載の共有デバイスレンタル装置。
【請求項４】
前記共有デバイスレンタル装置は、前記メインチップに電気的に接続されたリーダーと通信モジュールをさらに含み、前記収納スロットには、電源ピンが設けられており、前記電源ピンは、前記リーダーに電気的に接続された第一データ伝送ピンをさらに含み、前記共有デバイスには、無線周波数識別チップが設けられており、前記共有デバイスの尾部には、前記無線周波数識別チップと電気的に接続される無線周波数識別接点がさらに設けられ、
前記メインチップは、前記無線周波数識別接点が前記第一データ伝送ピンと互いに接触する時に、前記リーダーを介して前記無線周波数識別チップに格納された唯一の身分標識情報を読み取り、且つ前記通信モジュールを介して読み取られた前記唯一の身分標識情報をクラウドサーバーに送信し、
前記電源ピンは、第二データ伝送ピンをさらに含み、前記共有デバイスの尾部には、前記共有デバイスのプロセッサー及び／又はメモリーに電気的に接続されるデータ伝送ピンがさらに設けられており、
前記メインチップは、前記データ伝送ピンが前記第二データ伝送ピンと接触する時に、前記共有デバイスに前記共有デバイスの中の第一目標データを取り除くための第一制御指令を送信し、
また、前記メインチップは、前記データ伝送ピンが前記第二データ伝送ピンと接触する時に、前記共有デバイスの中の第二目標データを読み取り、且つ前記通信モジュールを介して前記第二目標データを前記クラウドサーバーに送信し、
また、前記メインチップは、前記データ伝送ピンが前記第二データ伝送ピンと接触する時に、前記共有デバイスに当該共有デバイスを再起動させるための第二制御指令を送信し、
また、前記メインチップは、前記共有デバイスが起動することを失敗した時に、前記通信モジュールを介して前記クラウドサーバーに故障情報を送信することを特徴とする請求項１に記載の共有デバイスレンタル装置。
【請求項５】
前記共有デバイスレンタル装置は、前記キャビネットの外面に取り外し可能に設けられた複数のプラグインデバイスをさらに含み、前記プラグインデバイスは、センサー、カメラ、スキャナー及びディスプレーを含み、
前記センサーは、ユーザが近づくかどうかを検出し、
前記カメラは、ユーザの特徴を取得し、
前記スキャナーは、バーコードをスキャンし、
前記ディスプレーは、文字提示情報及び／又は前記ユーザの特性収集インタフェースを表示することを特徴とする請求項３に記載の共有デバイスレンタル装置。
【請求項６】
共有デバイスレンタル装置に用いられる共有デバイスレンタル方法であって、
前記共有デバイスレンタル装置は、キャビネットと、前記キャビネットの中に設けられたメインチップ、電源管理モジュール、電磁ロック及び収納スロットと、を含み、前記収納スロットの中には、バックル及びスプリングが設けられており、前記メインチップは、前記電源管理モジュールと前記電磁ロックに電気的に接続され、前記電磁ロックは、前記バックルに連接され、
前記メインチップによりユーザのレンタル操作に応答して、前記バックルが開かれるように前記電磁ロックを制御し、且つ前記スプリングにより前記収納スロットの中に挿入された共有デバイスを弾き出させ、
前記共有デバイスが前記収納スロットの中に挿入された後、前記メインチップを介して前記電磁ロックを制御して前記バックルをロックさせて、前記バックルで前記共有デバイスを確実に固定することを特徴とする共有デバイスレンタル方法。
【請求項７】
前記共有デバイスレンタル装置は、リーダーをさらに含み、
前記共有デバイスが前記収納スロット内に挿入された後、前記リーダーにより前記共有デバイスの唯一の身分標識情報を取得し、前記メインチップにより前記電源管理モジュールを制御して前記共有デバイスに充電し且つ前記共有デバイスが故障したかどうかを検出し、
前記共有デバイスが故障した場合、前記メインチップによりクラウドサーバーに故障情報と前記唯一の身分標識情報を送信し、且つ前記共有デバイスレンタル装置の故障指示ランプを点灯させる及び／又は前記共有デバイスレンタル装置のディスプレーにおいて前記故障情報を表示し、
前記共有デバイスが故障しない場合、前記メインチップにより前記共有デバイスにデータクリア指令を送信して、前記共有デバイスの中の第一目標データを取り除き、
また、前記共有デバイスが故障しない場合、前記メインチップにより前記共有デバイスの中の第二目標データを読み取り、且つ前記唯一の身分標識情報及び読み取った第二目標データを前記クラウドサーバーに送信し、
前記共有デバイスが故障したかどうかを検出することは、具体的に前記共有デバイスを再起動させ、もし前記共有デバイスの起動に失敗すれば、前記共有デバイスが故障したことを確認し、もし前記共有デバイスが起動に成功すれば、前記共有デバイスが故障しないことを確認し、
また、前記共有デバイスが起動に成功した場合、前記共有デバイスの素子データを読み取り、且つ読み取った素子データとデフォルトデータとを比較し、もし前記素子データがデフォルトデータと一致しなければ、前記共有デバイスが故障したことを確認し、もし前記素子データがデフォルトデータと一致すれば、前記共有デバイスが故障しないことを確認することを特徴とする請求項６に記載の共有デバイスレンタル方法。
【請求項８】
前記共有デバイスレンタル装置は、センサー、カメラ、スキャナー、スピーカー及びディスプレーをさらに含み、前記センサーが誰かが近づいたことを検出すると、前記メインチップにより前記カメラを制御して撮影させ、
新しいレンタル注文が発生しないが、前記共有デバイスが前記収納スロットの中から取出されたことを検出すると、前記スピーカーにより警告音を出し、且つ前記カメラにより撮られた画像情報を前記クラウドサーバーに送信して、前記クラウドサーバーに前記画像情報に基づいて指定された管理者にアラームメッセージを送信させることを特徴とする請求項７に記載の共有デバイスレンタル方法。
【請求項９】
前記クラウドサーバーが送信するユーザのリターン完了情報を受信した後、前記クラウドサーバーに予め指定したユーザ情報を取り除くための請求を発送して、前記クラウドサーバーにより前記ユーザ情報を削除させることを特徴とする請求項８に記載の共有デバイスレンタル方法。
【請求項１０】
無線周波数識別チップが内蔵された共有デバイス、レンタル装置及びクラウドサーバーを含む共有デバイスレンタルシステムであって、
前記レンタル装置は、キャビネットと、電源管理モジュールと、通信モジュールと、リーダーと、前記キャビネットの中に設けられたメインチップ、電磁ロック、収納スロット、バックル及びスプリングと、を含み、
前記レンタル装置は、前記通信モジュールを介して前記クラウドサーバーとデータ接続を確立し、
また、前記レンタル装置は、レンタル操作に応答して、前記メインチップを介して前記レンタル装置内の電磁ロックを制御して、前記レンタル操作が指定する目標収納スロット内のバックルを開き、且つ前記目標収納スロット内のスプリングを介して前記目標収納スロット内に挿入された共有デバイスを弾き出させ、
また、前記レンタル装置は、前記共有デバイスが前記収納スロットの中に挿入された後、前記メインチップを介して前記電磁ロックを制御して前記バックルをロックさせて、前記共有デバイスを確実に固定し、且つ前記電源管理モジュールを制御して挿入された前記共有デバイスに充電し、前記リーダーを介して前記無線周波数識別チップに格納された挿入された前記共有デバイスの唯一の身分標識情報を読み取って、前記通信モジュールを介して前記唯一の身分標識情報を前記クラウドサーバーに送信し、
また、前記レンタル装置は、前記メインチップを介して挿入された前記共有デバイスに対して故障検査を行い、且つ前記共有デバイスが故障したことを検出する時に、前記共有デバイスの唯一の身分標識情報と故障情報を前記クラウドサーバーに送信することを特徴とする共有デバイスレンタルシステム。
【発明の詳細な説明】
【技術分野】
【０００１】
本発明は、電子技術分野に関し、特に共有デバイスレンタル装置、その方法及びシステムに関するものである。
【背景技術】
【０００２】
現在、市場でよく見られる共有レンタルキャビネットは、共有充電デバイスのレンタルキャビネットであり、プロセス全体は、無人、セルフサービスの形で取り去り、支払い又は控除する等のことができ、非常に便利である。しかし、共有充電デバイスの構造が比較的簡単であり、充電器にすぎず、データ量が小さく、独立したオペレーティングシステムがなく、機能が単一である。ところが、翻訳機等のより複雑なスマートデバイスには、Ａｎｄｒｏｉｄ、Ｌｉｎｕｘ（登録商標）等の独立したオペレーティングシステムがあり、その内部にデバイスデータやアプリケーションデータ等の複雑なデータが格納されている。しかも、翻訳機自体は多くの部品を持ち、構造が複雑であり、さまざまなタイプがあり、リースや返却などの過程では、デバイスを収納スロットから取り出す又は返却時に収納スロットの中に挿入する場合に、不安全且つ不便等の問題がある。要約すると、従来のレンタルキャビネットは、その構造が翻訳機等のデバイスに適合できず、翻訳機等の共有レンタルサービスのニーズを満たすことができない。
【発明の概要】
【発明が解決しようとする課題】
【０００３】
本発明は、電磁ロックとバックルとスプリングとの互いに協力することによって、共有デバイスの収納スロットに対する取出し操作及び挿入操作が不便である問題を解決できる共有デバイスレンタル装置、共有デバイスレンタル方法及びそのシステムを提供することを目的とする。
【課題を解決するための手段】
【０００４】
上記の課題を解決するために、本発明の実施形態に係る共有デバイスレンタル装置は、キャビネットと、電源管理モジュールと、前記キャビネットの中に設けられたメインチップ、電磁ロック、収納スロット、バックル及びスプリングと、を含み、
前記メインチップは、前記電源管理モジュールと前記電磁ロックとに電気的に接続されており、前記バックルと前記スプリングは、前記収納スロットの中に設けられ、前記電磁ロックは、前記バックルに連接され、
前記メインチップは、前記電磁ロックを制御して前記バックルを開かせるか又はロックさせ、
前記スプリングは、前記バックルが前記電磁ロックによって開かれた後に、前記収納スロットの中に挿入された共有デバイスを弾き出させる。
【０００５】
また、本発明の実施形態に係る共有デバイスレンタル方法は、共有デバイスレンタル装置に用いられ、
前記共有デバイスレンタル装置は、キャビネットと、前記キャビネットの中に設けられたメインチップ、電源管理モジュール、電磁ロック及び収納スロットと、を含み、前記収納スロットの中には、バックル及びスプリングが設けられており、前記メインチップは、前記電源管理モジュールと前記電磁ロックに電気的に接続され、前記電磁ロックは、前記バックルに連接され、
前記メインチップによりユーザのレンタル操作に応答して、前記バックルが開かれるように前記電磁ロックを制御し、且つ前記スプリングにより前記収納スロットの中に挿入された共有デバイスを弾き出させ、
前記共有デバイスが前記収納スロットの中に挿入された後、前記メインチップを介して前記電磁ロックを制御して前記バックルをロックさせて、前記バックルで前記共有デバイスを確実に固定する。
【０００６】
また、本発明の実施形態に係る共有デバイスレンタルシステムは、無線周波数識別チップが内蔵された共有デバイス、レンタル装置及びクラウドサーバーを含み、
前記レンタル装置は、キャビネットと、電源管理モジュールと、通信モジュールと、リーダーと、前記キャビネットの中に設けられたメインチップ、電磁ロック、収納スロット、バックル及びスプリングと、を含み、
前記レンタル装置は、前記通信モジュールを介して前記クラウドサーバーとデータ接続を確立し、
また、前記レンタル装置は、レンタル操作に応答して、前記メインチップを介して前記レンタル装置内の電磁ロックを制御して、前記レンタル操作が指定する目標収納スロット内のバックルを開き、且つ前記目標収納スロット内のスプリングを介して前記目標収納スロット内に挿入された共有デバイスを弾き出させ、
また、前記レンタル装置は、前記共有デバイスが前記収納スロットの中に挿入された後、前記メインチップを介して前記電磁ロックを制御して前記バックルをロックさせて、前記共有デバイスを確実に固定し、且つ前記電源管理モジュールを制御して挿入された前記共有デバイスに充電し、前記リーダーを介して前記無線周波数識別チップに格納された挿入された前記共有デバイスの唯一の身分標識情報を読み取って、前記通信モジュールを介して前記唯一の身分標識情報を前記クラウドサーバーに送信し、
また、前記レンタル装置は、前記メインチップを介して挿入された前記共有デバイスに対して故障検査を行い、且つ前記共有デバイスが故障したことを検出する時に、前記共有デバイスの唯一の身分標識情報と故障情報を前記クラウドサーバーに送信する。
【発明の効果】
【０００７】
上記の実施形態から分かるように、本発明に係る共有デバイスレンタル装置、その方法及びシステムは、共有デバイスレンタル装置のメインチップで電磁ロックを制御して、収納スロットのバックルを開く時に、収納スロットに設けられたスプリングが共有デバイスを弾き出させる。また、共有デバイスが収納スロットの中に挿入される時に、メインチップは前記共有デバイスをロックするように前記電磁ロックを制御する。本発明のレンタル装置は、電磁ロック、バックル及びスプリングの互いに協力によって、共有デバイスをさらに便利にポップアップ及びリサイクルすることができ、レンタル装置の使い易さを向上した。
【図面の簡単な説明】
【０００８】
【図１】本発明の実施形態に係る共有デバイスレンタル装置の構造を示すブロック図である。
【図２】本発明の実施形態に係る共有デバイスレンタル装置の外観構造を示す図である。
【図３】本発明の実施形態に係る共有デバイスレンタル装置の内部構造を示す図である。
【図４】本発明の実施形態に係る共有デバイスレンタル装置の内部構造を示す図である。
【図５】本発明の実施形態に係る共有デバイスレンタル装置の内部構造を示す図である。
【図６】本発明の実施形態に係る共有デバイスレンタル装置の収納スロットの構造を示す図である。
【図７】本発明の実施形態に係る共有デバイスレンタル方法のフローチャートである。
【図８】本発明の実施形態に係る共有デバイスレンタルシステムの構造を示すブロック図である。
【図９】本発明の実施形態に係る共有デバイスレンタルシステムの共有デバイスの構造を示すブロック図である。
【発明を実施するための形態】
【０００９】
図１は、本発明の実施形態に係る共有デバイスレンタル装置の構造を示すブロック図である。図２は、本発明の実施形態に係る共有デバイスレンタル装置の外観構造を示す図である。図１及び図２に示すように、共有デバイスは、翻訳機などの独立したオペレーティングシステムを備えたスマート電子デバイスであり、前記オペレーティングシステムは、ＡｎｄｒｏｉｄまたはＬｉｎｕｘなどである。レンタルとは、前記共有デバイスの貸し出しと返却を意味する。前記共有デバイスレンタル装置は、共有デバイスをレンタルするキャビネットであることができ、キャビネット１０と、キャビネット１０の中に設けられたメインチップ１１、電磁ロック１２、収納スロット１３、バックル１４、スプリング１５及び電源管理モジュール１９と、を含む。
【００１０】
メインチップ１１は、具体的にマイクロ制御ユニット（ＭＣＵ，Ｍｉｃｒｏ  Ｃｏｎｔｒｏｌ  Ｕｎｉｔ）であり、電磁ロック１２に電気的に接続されており、バックル１４を開かせるかまたはロックさせるように電磁ロック１２を制御する。電源管理モジュール１９は、電源管理に用いられる制御チップまたは制御回路であり、充電プラグ、電源アダプターまたは充電ケーブルに接続される。
【００１１】
図３〜図５は、本発明の実施形態に係る共有デバイスレンタル装置の内部構造を示す図である。図６は、本発明の実施形態に係る共有デバイスレンタル装置における収納スロットの構造を示す図である。１つの共有デバイスレンタル装置において、複数の収納スロット１３を設けても良い。図３に示すように、複数の収納スロット１３（図示せず）は、ブラケット３１によりキャビネット１０の中に固定される。各収納スロット１３の中には、バックル１４及びスプリング１５（図示せず）がそれぞれ設けられている。
【００１２】
具体的に、各収納スロット１３には、少なくとも１つのスプリング１５が設けられる。スプリング１５は、収納スロット１３の底部の内側に設けられる。また、各収納スロット１３には、少なくとも１つの電磁ロック１２が設けられる。各電磁ロック１２は、少なくとも１つのバックル１４を開くかまたはロックすることができる。図４に示すように、収納スロット１３の下端には、２つの電磁ロック１２がそれぞれ設けられる。各電磁ロック１２は、１つのバックル１４に接続される。マザーボード３２に設けられた前記メインチップ１１（図示せず）は、電磁ロック１２を制御してバックル１４を開かせると、スプリング１５は収納スロット１３内に挿入された共有デバイスを弾き出させる。この際、ユーザは、前記共有デバイスを持ち去ることができる。その一方で、メインチップ１１は、電磁ロック１２を制御してバックル１４をロックさせると、前記共有デバイスは収納スロット１３内に確実にロックされて、ユーザは前記共有デバイスを持ち去ることができない。
【００１３】
さらに、図４に示すように、前記共有デバイスレンタル装置は、メインチップ１１と電磁ロック１２とに電気的に接続された制御ボード３３を含む。電磁ロック１２は、接続ロッド１２１とドライバー１２２を含む。収納スロット１３におけるその底部に対して垂直である一方側には、凸部１３１が設けられる。バックル１４の一端は接続ロッド１２１に固定され、バックル１４の他端は凸部１３１に固定される。ドライバー１２２は、マイクロモーターまたは同じ機能を持つ他の駆動装置である。制御ボード３３は、ドライバー１２２に電気的に接続されて、メインチップ１１からの制御指令に応答して、接続ロッド１２１を動かして収納スロット１３の底部と平行な方向に沿って移動させるようにドライバー１２２を制御し、且つメインチップ１１に制御結果をフィードバックする。ドライバー１２２を介して接続ロッド１２１を収納スロット１３に近づく方向へ移動させ、且つバックル１４を予定位置にロックし、バックル１４の隆起部１４１を収納スロット１３の側壁の貫通孔を通り抜けて、収納スロット１３の中の共有デバイスに当接させることによって、前記共有デバイスを確実にロックする効果を奏する。ドライバー１２２が接続ロッド１２１をキャビネット１０に近づく方向へ移動させる時に、バックル１４が開かれ、隆起部１４１は収納スロット１３の中の前記共有デバイスを抵抗しなく、収納スロット１３の底部のスプリング１５はこれに乗じて前記共有デバイスをポップアップさせる。
【００１４】
さらに、ユーザが前記共有デバイスをリターンする場合、前記共有デバイスを収納スロット１３の中に挿入する。この際、メインチップ１１は、電磁ロック１２を制御して、バックル１４をロックさせて、前記共有デバイスを前記収納スロット１３内に固定する。これと同時に、メインチップ１１は、収納スロット１３の中に挿入された前記共有デバイスに充電し、且つ前記共有デバイスからデータを読み出して、前記データをクラウドサーバーに送信して、前記クラウドサーバーにより前記データを処理する。前記データは、属性データ、素子データ、ローカルデータ及びアプリケーションデータの中の一種または多種を含む。そのうち、属性データは、前記共有デバイスの型番と製品シリアルコード（ＳＮ，Ｓｅｒｉａｌ  Ｎｕｍｂｅｒ）などの身分標識情報を含む。素子データは、前記共有デバイスのメモリー、表示パネル、ボタン、データケーブル、充電ケーブル、イヤホンケーブルなどのハードウェアのデータを含む。ローカルデータとアプリケーションデータは、ユーザが前記共有デバイスを使用する時に生成した文字と音声のデータである。具体的には、前記共有デバイスレンタル装置の中には、データをクラウドサーバーに送信することに用いられる通信モジュール１６が設けられている。通信モジュール１６は、セルラーネットワーク通信モジュールとＷｉＦｉホットスポットモジュールとを含む。前記セルラーネットワーク通信モジュールは、２Ｇ、３Ｇ、４Ｇまたは後続バージョンのセルラーネットワークプロトコルのモバイル通信ネットワークをサポートすることによって、クラウドサーバーとデータを送受信する。前記ＷｉＦｉホットスポットモジュールは、ＷｉＦｉネットワークを介してクラウドサーバーとデータを送受信する。前記共有デバイスと前記共有デバイスレンタル装置との間のデータ交換量はより大きく、タイプはより多く、ロジックはより複雑であり、前記共有デバイスの属性データのみならず、前記共有デバイスの素子データ及び前記共有デバイスのオペレーティングシステムにより実行されるアプリケーションデータを含む。
【００１５】
前記データをクラウドサーバーに送信して、前記クラウドサーバーにより前記データを処理することは、前記クラウドサーバーは、属性データに基づいて現時点に収納スロット１３内にある共有デバイスが前に貸出した共有デバイスであるかどうかを判断すること及び素子データに基づいて現時点に収納スロット１３内にある共有デバイスがダメージを受けたかどうかを判断することをさらに含む。また、素子データに基づいて現時点に収納スロット１３内にある共有デバイスがダメージを受けたかどうかを判断することは、メインチップ１１により実現されてもよい。前記クラウドサーバーは、前記ローカルデータと前記アプリケーションデータを、両者が前記共有デバイスとの関連性によってデータベースの中に格納する。例えば、前記データベースの中で前記共有デバイスのデータのストレージディレクトリを作成して、前記共有デバイスのローカルデータとアプリケーションデータを毎度読み取った時に、それらを前記ストレージディレクトリの下にそれぞれ格納する。前記共有デバイスレンタル装置が前記クラウドサーバーとデータを交換する時に、前記共有デバイスレンタル装置は前記データを前記クラウドサーバーにリアルタイムに報告すると共に、前記クラウドサーバーは前記共有デバイスレンタル装置に様々な指令又は情報をプッシュすることもできる。これにより、双方向ダブルパスが実現され、通信の速度と効率が大きく向上される。
【００１６】
具体的には、前記共有デバイスレンタル装置は、リーダー３４をさらに含む。前記共有デバイスには、無線周波数識別（ＲＦＩＤ，Ｒａｄｉｏ  Ｆｒｅｑｕｅｎｃｙ  Ｉｄｅｎｔｉｆｉｃａｔｉｏｎ）チップが設けられている。前記リーダー３４によって、前記ＲＦＩＤチップの中のデータを読み取ることができる。前記共有デバイスが出荷される時に、唯一のデバイスコードが書き込まれたＲＦＩＤチップを前記共有デバイスの内部又は背面に貼り付ける。前記ＲＦＩＤチップ内に記憶された前記唯一のデバイスコードを読み取ることによって、前記共有デバイスの身分を確認することができる。前記唯一のデバイスコードは、前記共有デバイスの唯一の身分標識情報であり、ＳＮ（Ｓｅｒｉａｌ  Ｎｕｍｂｅｒ）コードなどであることができる。
【００１７】
各収納スロット１３の内部の下端には、収納スロット１３の下端から露出する電源ピン１８がそれぞれ設けられている。前記共有デバイスの末端にも、電源ピンが設けられる。前記共有デバイスの電源ピンは、前記収納スロット１３の電源ピンに対応している。
【００１８】
収納スロット１３の底部の電源ピン１８は、電源管理モジュール１９に電気的に接続された正極電源ピンと負極電源ピンとを含む。これに対応して、前記共有デバイスの電源ピンは、正極充電接点と負極充電接点とを含む。メインチップ１１は、さらに前記共有デバイスの正極充電接点と負極充電接点が電源ピン１８の中の正極電源ピンと負極電源ピンにそれぞれ接触する時に、前記共有デバイスに充電することに用いられる。電源管理モジュール１９は、電源に接続される。メインチップ１１は、電源管理モジュール１９に制御指令を送信することによって、前記電源を制御して前記共有デバイスに充電する。
【００１９】
さらに、収納スロット１３の底部の電源ピン１８は、リーダー３４に電気的に接続された第一データ伝送ピンを含む。これに対応して、前記共有デバイスの電源ピンは、無線周波数識別（ＲＦＩＤ，Ｒａｄｉｏ  Ｆｒｅｑｕｅｎｃｙ  Ｉｄｅｎｔｉｆｉｃａｔｉｏｎ）接点をさらに含む。メインチップ１１は、前記共有デバイスの無線周波数識別接点がレンタル装置の前記第一データ伝送ピンと互いに接触した時に、リーダー３４を介して前記共有デバイスの中のＲＦＩＤチップに記憶された唯一の身分標識情報を読み取って、通信モジュール１６により読み取った前記唯一の身分標識情報を前記クラウドサーバーに送信する。
【００２０】
さらに、収納スロット１３の底部の電源ピン１８は、メインチップ１１に電気的に接続された第二データ伝送ピンを含む。これに対応して、前記共有デバイスの電源ピンは、前記共有デバイスのプロセッサー及び／又はメモリーに電気的に接続されたデータ伝送ピンをさらに含む。
【００２１】
メインチップ１１は、前記共有デバイスのデータ伝送ピンがレンタル装置の前記第二データ伝送ピンと接触する時に、前記共有デバイスに当該共有デバイスの中の第一目標データを取り除くための第一制御指令を送信する。前記第一目標データは、共有デバイスのローカルデータとアプリケーションデータである。具体的には、前記第一制御指令は、前記共有デバイスに初期化操作を実行させて、前記共有デバイスのローカルデータとアプリケーションデータを取り除く目的を達成する。
【００２２】
また、メインチップ１１は、前記共有デバイスのデータ伝送ピンがレンタル装置の前記第二データ伝送ピンと接触する時に、前記共有デバイスの中の第二目標データを読み取り、且つ通信モジュール１６により前記第二目標データを前記クラウドサーバーに送信する。前記第二目標データは、共有デバイスの素子データ、ローカルデータ及びアプリケーションデータの中の少なくとも一種のデータである。
【００２３】
また、メインチップ１１は、前記共有デバイスのデータ伝送ピンがレンタル装置の前記第二データ伝送ピンと接触する時に、前記共有デバイスに当該共有デバイスを再起動させるための第二制御指令を送信する。前記共有デバイスの起動が失敗した時に、通信モジュール１６により前記クラウドサーバーに故障情報を送信する。メインチップ１１は、読み取られた第二目標データに基づいて、共有デバイスが故障したかどうかを判断することにも用いられる。
【００２４】
図６を例として説明すると、収納スロット１３の底部には、六つの電源ピン１８１−１８６が設けられる。そのうち、電源ピン１８１、１８２は、それぞれ正極電源ピンＧＮＤと負極電源ピンＶＢＵＳである。電源ピン１８３、１８４は、それぞれ第一データ伝送ピンＴＸ１、ＲＸ１である。電源ピン１８５、１８６は、それぞれ第二データ伝送ピンＴＸ２、ＲＸ２である。上記の各電源ピンとメインチップ１１、電源管理モジュール１９との接続関係は、図１において示されていない。
【００２５】
前記共有デバイスが収納スロット１３内に完全に挿入された時に、収納スロット１３の底部の電源ピン１８は、前記共有デバイスの末端から露出する電源ピンと緊密に接触する。
【００２６】
さらに、前記共有デバイスを収納スロット１３内によりスムーズに挿入し、且つ挿入する時に前記共有デバイスの方向を逆にしないように、収納スロット１３内においてポカヨケ設計を施す。具体的には、図６に示すように、収納スロット１３の上下２つの内壁には、複数の盛り上がったリブ１３２がそれぞれ設けられている。複数のリブ１３２は、収納スロット１３の開口から収納スロット１３の底部まで延伸し、且つ収納スロット１３の内壁（共有デバイスの正面に向ける側壁）におけるリブは、エキセントリックなデザインを採用した。即ち、リブの側面は、側壁と一定の角度を有し、その角度が１５度から８０度の範囲である。
【００２７】
さらに、収納スロット１３の深さは、共有デバイスの長さより短い。例えば、各共有デバイスの末端が収納スロット１３の底部まで完全に挿入された時に、各共有デバイスの４分の３が収納スロット１３内に位置し、他の４分の１が収納スロット１３の外へ露出して、ユーザとの取り操作を容易にする。
【００２８】
前記共有デバイスレンタル装置は、接触式通信の方式によりＲＦＩＤチップと通信して、ＲＦＩＤチップの小型の利点を留保しただけではなく、無線周波数通信が距離と伝送範囲を制御できない欠陥を避けた。また、前記共有デバイスレンタル装置は、その内部にＲＦＩＤリーダーとアンテナを増設する必要がないので、ハードウェアのコストを削減することができる。
【００２９】
さらに、前記共有デバイスレンタル装置は、キャビネット１０の外面に取り外し可能に設けられた複数のプラグインデバイスを含む。前記プラグインデバイスは、センサー２０、カメラ２１、スキャナー２２及びディスプレー２３を含む。この上に、前記共有デバイスレンタル装置の中には、メインチップ１１の指令に従って前記プラグインデバイスの運行を制御するための管理モジュール２４が設けられている。
【００３０】
センサー２０は、前記共有デバイスレンタル装置の近くにユーザがあるかどうかを検出することに用いられ、赤外線センサーまたは衝撃センサーなどであることができる。
【００３１】
カメラ２１は、メインチップ１１により制御されて、ユーザの顔又はユーザが出した証明書等を撮影することによって、ユーザの特徴を取得する。ユーザの特徴は、ユーザーの顔の特徴、アイリス機能、指紋特徴などの生物学的特徴、及びユーザの名前、ＩＤ番号などの身分特徴を含む。
【００３２】
スキャナー２２は、バーコードをスキャンするために用いられる。前記バーコードは、有料バーコードまたはユーザの身分を認証するためのバーコードである。
【００３３】
ディスプレー２３は、テキスト提示情報及び／又はユーザ特徴収集インターフェースを表示することに用いられる。前記テキスト提示情報は、レンタル可能な共有デバイスの数、位置情報又は警告情報などを含む。ディスプレー２３は、前記共有デバイスレンタル装置の正面に設けられる。上記のプラグインデバイスは、自由に分解されて取り替えられることができ、使用の利便性を高めた。
【００３４】
さらに、キャビネット１０の正面における各収納スロット１３の開口の近くには、１つのレンタルボタン２５が設けられており、レンタルボタン２５が押された後にレンタル操作を起動し、メインチップ１１は当該レンタル操作に応答して、動作し始める。ユーザは、各レンタルボタン２５を押すことによって、それに対応する収納スロット１３内の共有デバイスをレンタルする。
【００３５】
さらに、前記共有デバイスレンタル装置には、電源指示ランプ２６と故障指示ランプ２７が設けられている。
【００３６】
電源指示ランプ２６は、共有デバイスの電量情報を提示するために用いられる。
【００３７】
故障指示ランプ２７は、共有デバイスが故障したことを提示するために用いられる。
【００３８】
さらに、各収納スロット１３の開口の内側には、赤外線センサーが設けられている。前記赤外線センサーは、メインチップ１１に電気的に接続されて、収集した赤外線検出データをメインチップ１１に送信する。メインチップ１１は、電磁ロック１２にポップアップ制御指令を伝送した後に、前記赤外線センサーからの検出データに基づいて、前記ポップアップ制御指令が指定する収納スロットはプリセット時間を超えた時に相変わらず占用されるかどうかを判断する。もし、占用されれば、電磁ロック１２にロック制御指令を送信して、電磁ロック１２にてバックル１４をしっかりとロックすることによって、共有デバイスの安全性とレンタルデータの精度を確保する。
【００３９】
本発明の実施形態において、共有デバイスレンタル装置は、メインチップ１１により電磁ロック１２を制御して、収納スロット１３のバックル１４を開かせると、収納スロット１３に設けられたスプリング１５が前記共有デバイスをポップアップさせる。その一方で、前記共有デバイスが収納スロット１３内に挿入された時に、メインチップ１１は電磁ロック１２を制御して前記共有デバイスをロックさせる。このようにして、電磁ロック１２、バックル１４及びスプリング１５を設けることによって、前記共有デバイスをさらに便利に弾き出し及び回収して、レンタル装置の使い易さを高めることができる。さらに、電源ピンを介して前記共有デバイスに充電し、且つ前記共有デバイスの中から各種データを読み取って、取得したデータをクラウドサーバーに送信して処理することによって、前記共有デバイスのデータ処理能力を高め、前記共有デバイスがレンタル過程におけるデータ処理成功率及びデータ処理量を大きく高め、レンタル過程を順調に完成し、より複雑な構造を持つレンタル装置の業務需要を満たし、ユーザ体験を改善することができる。
【００４０】
図７に示すように、本発明が提供した共有デバイスレンタル方法は、上記の共有デバイスレンタル装置に用いられて、共有デバイスのレンタルを実現する。共有デバイスレンタル装置の構造に関しては、図１〜図６を参照する。前記共有デバイスレンタル方法は、具体的に以下のステップを含む。
【００４１】
Ｓ２０１において、レンタル装置は、メインチップによりレンタル装置に応答して、電磁ロックを制御して、収納スロットのバックルを開かせて、スプリングにより前記収納スロットの中に挿入された共有デバイスを弾き出させる。
【００４２】
前記メインチップは、前記電磁ロックに電気的に接続され、前記バックルと前記スプリングは、前記収納スロットの中に設けられ、前記電磁ロックは、前記バックルに連接されている。前記共有デバイスレンタル装置の具体的な構造は、図１〜図６により示された実施形態を参照する。
【００４３】
ユーザは、携帯電話のＡＰＰを利用してクラウドサーバーに対してレンタル請求を送信することができる。前記クラウドサーバーは、前記共有デバイスレンタル装置のメインチップにレンタル指令を送信して、レンタル操作を起動する。又は、ユーザは、前記共有デバイスレンタル装置に設けられたレンタルボタンを押して、前記メインチップに電気信号を伝送して、レンタル操作を起動する。
【００４４】
前記メインチップは、前記レンタル操作に応答して、カメラを起動して、カメラとスキャナーなどを介して借受人の特徴とレンタルに関連する情報を記録して識別する。前記メインチップが前記電磁ロックを制御して前記収納スロットのバックルを開かせると、前記収納スロットの底部に設けられたスプリングは前記収納スロット内に挿入された共有デバイスを弾き出させる。ユーザが前記共有デバイスを取り出した後、前記メインチップは、前記共有デバイスのレンタル情報を更新して前記クラウドサーバーに報告する。前記レンタル情報は、借受人のユーザ特徴、レンタル開始時間及び前記共有デバイスのレンタル回数、モデル、属性データなどの情報を含む。
【００４５】
予定期間を超えた後、収納スロットが相変わらず占用されていることが検出されると、ユーザが前記共有デバイスを取り出しないことを説明する。すると、前記メインチップは、前記電磁ロックを制御して、前記収納スロットのバックルをロックさせて、前記共有デバイスを再び固定する。具体的には、前記メインチップは、各収納スロットの開口内側の赤外線センサーが送信した検出データに基づいて、ユーザが前記共有デバイスを取り出したかどうかを判断する。
【００４６】
Ｓ２０２において、前記共有デバイスが前記収納スロットに挿入された時に、前記メインチップにて前記バックルをロックさせるように前記電磁ロックを制御し、前記バックルで前記共有デバイスをしっかりとロックする。
【００４７】
ユーザが前記共有デバイスをリターンする時に、前記共有デバイスを何れか１つの空いている収納スロットの中に直接に挿入するか又はレンタルＡＰＰの指示に従って、前記共有デバイスを、指定された、空いている収納スロットの中に挿入する。共有デバイスが収納スロットの中に挿入された後、前記メインチップが前記電磁ロックを制御して、前記バックルで前記共有デバイスをしっかりとロックする。
【００４８】
さらに、共有デバイスが収納スロットの中に挿入された後、レンタル装置は内蔵したリーダーを介して前記共有デバイスの唯一の身分標識情報を取得し、前記メインチップを介して電源管理モジュールを制御して前記共有デバイスに充電し、且つ前記共有デバイスが故障したかどうかを検出する。前記共有デバイスが故障した場合、前記メインチップを介してクラウドサーバーに故障情報及び前記共有デバイスの唯一の身分標識情報を送信し、且つレンタル装置の故障指示ランプを点灯させる及び／又はレンタル装置のディスプレーにおいて故障情報を表示する。その一方で、前記共有デバイスが故障しない場合、前記メインチップを介して前記共有デバイスにデータクリア指令を送信して、前記共有デバイスの中の第一目標データを取り除く。
【００４９】
また、前記共有デバイスが故障しない場合、前記メインチップを介して前記共有デバイスの中の第二目標データを読み取り、且つ前記共有デバイスの唯一身分標識情報及び読み取った第二目標データを前記クラウドサーバーに送信する。
【００５０】
そのうち、前記共有デバイスが故障したかどうかを検出する場合、具体的に前記メインチップにて前記共有デバイスを再び起動させる時に、前記共有デバイスが起動することを失敗すれば、前記共有デバイスが故障したことを確認し、前記共有デバイスが起動に成功すれば、前記共有デバイスが故障しないことを確認する。
【００５１】
また、前記共有デバイスが故障したかどうかを検出する場合、前記共有デバイスが起動に成功すれば、前記共有デバイスの素子データを読み取り、且つ読み取った素子データとデフォルトデータとを比較し、もし素子データがデフォルトデータと一致しなければ、前記共有デバイスが故障したことを確認し、もし素子データがデフォルトデータと一致すれば、前記共有デバイスが故障しないことを確認する。
【００５２】
前記共有デバイスが収納スロットの中に挿入された後、前記メインチップが前記共有デバイスの属性データを読み取り、且つ前記共有デバイスに充電する。さらに、前記メインチップが前記共有デバイスの素子データを読み取り、素子データに基づいて前記共有デバイスがダメージを受けたかどうかを判断する。例えば、前記共有デバイスのスクリーンが破裂したかどうか、データラインが欠落したかどうかなどを判断する。また、前記メインチップは、素子データを前記クラウドサーバーに送信して、前記クラウドサーバーにより判断する。
【００５３】
また、前記メインチップは、前記共有デバイスを制御して起動させる。もし前記共有デバイスが起動できなければ、前記クラウドサーバーに前記共有デバイスの故障情報を送信し、且つ前記共有デバイスレンタル装置の故障指示ランプを点灯させる及び／又は前記共有デバイスレンタル装置のディスプレーにおいて前記故障情報を表示する。
【００５４】
リターンされた共有デバイスがダメージを受けたかどうか、故障したかどうかを判断することを同時に行なうことができる。判断結果により総合的に分析して確認する。勿論、収納スロット内の共有デバイスに対して、上記の故障検出を定期的に行なうことができる。
【００５５】
さらに、前記共有デバイスが起動された後に、属性データ及び素子データを前記メインチップに送信する。前記メインチップは、属性データと素子データをクラウドサーバーに報告するか、又は前記共有デバイスが起動された後に予めインストールされたレンタルＡＰＰを自動的に運行して、レンタルＡＰＰにより属性データと素子データを直接にクラウドサーバーに伝送する。クラウドサーバーは、受信した属性データと素子データに基づいて検証を行なって、リターンされた共有デバイスが前に貸出した共有デバイスであるかどうかを確認し、且つ共有デバイスがダメージ受けず、故障しない場合に、レンタルＡＰＰの中からユーザに預金を返却する。
【００５６】
具体的には、レンタル装置の収納スロットの底部には、電源ピンが設けられている。これに対応して、前記共有デバイスの末端にも、電源ピンが設けられている。前記共有デバイスの末端が前記収納スロットの底部まで挿入され、前記共有デバイスの電源ピンが前記レンタル装置の電源ピンと接触する時に、メインチップ１１は、前記電源ピンを介して前記共有デバイスに充電し、且つ前記共有デバイスに内蔵されたＲＦＩＤチップの中の属性データを読み取り、且つそれを前記クラウドサーバーに伝送して、検証する。さらに、安全性を高めるために、属性データをＲＦＩＤチップに書き込んだ後に、ＲＦＩＤチップの中の属性データが書き込んだ格納エリアに対して暗号化することによって、前記格納エリアのデータが変更されないように保護する。
【００５７】
さらに、前記共有デバイスレンタル装置は、センサー、カメラ、スキャナー、スピーカー及び表示パネルを含む。前記センサーにより誰かが前記共有デバイスレンタル装置に近づくことを感知すると、メインチップ１１にて前記カメラを制御して撮影させる。また、新しいレンタル注文が発生しないが、前記共有デバイスが収納スロットの中から取り出されたことを検出すると、前記スピーカーを介して警告音を出し、且つ前記カメラにより撮られた画像情報を前記クラウドサーバーに送信する。すると、前記クラウドサーバーは、前記画像情報に基づいて警報情報を生成して、それを所定の管理員に送る。具体的に、メール、メッセージ、電話などの形で前記警報情報を管理員に送ることができる。これにより、本発明の共有デバイスレンタル装置の安全性が高められ、ロスも大きく低減された。
【００５８】
さらに、前記共有デバイスレンタル装置には、電源が内蔵されており、外部電源が使用できない場合、メインチップ、センサー、カメラ、スキャナー、スピーカー及びディスプレーにより構成される盗難防止システムに電力を提供して、当該盗難防止システムの各部品が正常的に運行することを確保する。前記外部電源が使用できる場合、当該外部電源により内蔵電源に充電し、前記内蔵電源により前記盗難防止システムに給電する。これにより、前記外部電源のみがあり、且つ前記外部電源が破壊されることに起因して、前記盗難防止システムが動作できないことが防止される。
【００５９】
さらに、クラウドサーバーにより送信されるユーザのリターン時間を受信すると、クラウドサーバーに予め指定したユーザ情報を取り除くための請求を発送して、クラウドサーバーによりデータベースの中から前記予め指定したユーザ情報を取り除いて、ユーザの情報の安全性と機密性を高める。前記ユーザ情報は、ユーザの個人情報及び前記共有デバイスの中でユーザの使用により生成された情報を含む。
【００６０】
この実施形態の記載が関与しないディテールについては、他の実施形態の関連する説明を参照することができる。
【００６１】
上記の実施形態において、前記共有デバイスレンタル装置は、メインチップを介して電磁ロックを制御して、収納スロットのバックルを開かせると、収納スロットに設けられたスプリングが前記共有デバイスをポップアップさせる。その一方で、前記共有デバイスが収納スロット内に挿入された時に、メインチップは電磁ロックを制御して前記共有デバイスをロックさせる。このようにして、電磁ロック、バックル及びスプリングを設けることによって、前記共有デバイスをさらに便利に弾き出し及び回収して、レンタル装置の使い易さを高めることができる。さらに、電源ピンを介して前記共有デバイスに充電し、且つ前記共有デバイスの中から各種データを読み取って、取得したデータをクラウドサーバーに送信して処理することによって、前記共有デバイスのデータ処理能力を高め、前記共有デバイスがレンタル過程におけるデータ処理成功率及びデータ処理量を大きく高め、レンタル過程を順調に完成し、より複雑な構造を持つレンタル装置の業務需要を満たし、ユーザ体験を改善することができる。
【００６２】
図８は、本発明の実施形態に係る共有デバイスレンタルシステムの構造を示すブロック図である。説明を容易にするために、図面では本実施形態に関連する部分だけを示した。図８により示された共有デバイスレンタルシステムは、図１〜図６により示された実施形態が記載のレンタル装置を含む。前記共有デバイスレンタルシステムは、主に共有デバイス３０１、レンタル装置３０２及びクラウドサーバー３０３を含む。
【００６３】
図１に示すように、レンタル装置３０２は、キャビネット１０、電源管理モジュール１９、通信モジュール１６、リーダー３４及びキャビネット１０の中に設けられたメインチップ１１、電磁ロック１２、収納スロット１３、バックル１４及びスプリング１５を含む。
【００６４】
図９に示すように、共有デバイス３０１は、プロセッサー３０１１、ＲＦＩＤチップ３０１２及びメモリー３０１３を含む。メモリー３０１３には、プロセッサー３０１１により実行されることが可能なコンピュータープログラムが格納されている。また、メモリー３０１３は、前記コンピュータープログラムが生成したユーザデータを格納することに用いられる。実際の応用において、共有デバイス３０１は、翻訳機、メディアプレーヤー及びタブレットパソコンなどのユーザデータを記録する機能を有する電子装置である。
【００６５】
レンタルする前に、共有デバイス３０１は、レンタル装置３０２の収納スロット１３の中に挿入され、レンタル装置３０２の電磁ロック１２は、バックル１４をロックして、全ての共有デバイス３０１を収納スロット１３の中に確実にロックする。
【００６６】
レンタル装置３０２は、通信モジュール１６を介してクラウドサーバー３０３とデータ交換を実現する。
【００６７】
レンタル装置３０２は、レンタル操作に応答して、メインチップ１１を介してレンタル装置３０２内の電磁ロック１２を制御して、指定された収納スロット１３内のバックル１４を開き、且つ収納スロット１３内のスプリング１５を介して収納スロット１３内に挿入された共有デバイス３０１を弾き出させる。
【００６８】
また、レンタル装置３０２は、共有デバイス３０１が収納スロット１３内に挿入された時に、メインチップ１１を介して電磁ロック１２を制御してバックル１４をロックさせることによって、共有デバイス３０１を確実に固定し、且つ電源管理モジュール１９を利用して共有デバイス３０１に充電し、リーダー３４を利用して前記ＲＦＩＤチップに格納された共有デバイス３０１の唯一の身分標識情報を読み取って、通信モジュール１６を介して前記唯一の身分標識情報をクラウドサーバー３０３に送信する。
【００６９】
また、レンタル装置３０２は、メインチップ１１により収納スロット１３内に挿入された共有デバイス３０１に対して故障検査を行い、且つ共有デバイス３０１が故障したことを検出する時に、共有デバイス３０１の唯一の身分標識情報と故障情報をクラウドサーバー３０３に送信する。
【００７０】
さらに、レンタル装置３０２の各収納スロット１３の中には、赤外線センサーが設けられている。収納スロット１３内に挿入された共有デバイス３０１がスプリング１５により弾き出された後、レンタル装置３０２は、前記赤外線センサーがメインチップ１１に送信した検出データに基づいて、共有デバイス３０１がユーザに取出されたかどうかを判断する。ユーザに取出された場合、通信モジュール１６を介して取出された共有デバイス３０１の唯一の身分標識情報と取出時間をクラウドサーバー３０３に送信する。クラウドサーバー３０３は、レンタル装置３０２からの唯一の身分標識情報と取出時間に基づいて、取出された共有デバイス３０１のレンタルデータを更新する。予定時間を超えたが、弾き出された共有デバイス３０１がユーザにより持ち去られない場合、レンタル装置３０２はメインチップ１１を介して電磁ロック１２を制御して、バックル１４を再びロックさせ、且つクラウドサーバー３０３に共有デバイス３０３が取出されないという通知情報をクラウドサーバー３０３に送信する。
【００７１】
さらに、図１に示すように、レンタル装置３０２の収納スロット１３の底部には、電源ピン１８がさらに設けられている。これに対応して、図９に示すように、共有デバイス３０１の末端には電源ピン３０１４が設けられている。共有デバイス３０１は、充電式電池モジュール３０１５を含む。プロセッサー３０１１、メモリー３０１３及び充電式電池モジュール３０１５は、バスラインを介して互いに電気的に接続される。
【００７２】
電源ピン１８は、電源管理モジュール１９に電気的に接続された正極電源ピン、負極電源ピンと、リーダー３４に電気的に接続された第一データ伝送ピンと、メインチップ１１に電気的に接続された第二データ伝送ピンと、を含む。電源ピン３０１４は、ＲＦＩＤチップに電気的に接続されたＲＦＩＤ接点と、充電式電池モジュール３０１５に電気的に接続された正極充電接点、負極充電接点と、プロセッサー３０１１及び／又はメモリー３０１３に電気的に接続されたデータ伝送ピンと、を含む。レンタル装置３０２は、電源ピン１８と電源ピン３０１４を介して共有デバイス３０１の関連データを読み取り、且つ前記関連データをクラウドサーバー３０３に送信して処理する。クラウドサーバー３０３は、レンタル装置３０２からの関連データを処理する。例えば、前記関連データに基づいて、収納スロット１３内に挿入された共有デバイスが故障したかどうかを判断し、前記共有デバイスのレンタルデータを管理するなどのことを行なう。
【００７３】
翻訳機を例として、レンタルの場面において、ユーザは、レンタル装置の本体に設けられたボタンを押すことによって、レンタル操作を起動する。レンタル装置のメインチップは、前記レンタル操作に応答して、スキャナーを開いてユーザの携帯電話でのＱＲコード（登録商標）をスキャンして、前記ユーザのアカウント情報を取得する。その後、前記メインチップは前記ボタンが指定した収納スロットに対応する電磁ロックを制御して、前記指定した収納スロットのバックルを開かせると、前記指定した収納スロットの底部のスプリングはこの勢いに乗じて前記収納スロット内に挿入された翻訳機を弾き出させる。続いて、翻訳機が取出されたことを検出すると、前記メインチップは前記翻訳機の身分標識情報、取出時間及びユーザのアカウント情報などを含むレンタルデータをクラウドサーバーに送信する。クラウドサーバーは、受信したレンタルデータを格納し、且つ前記ユーザのアカウント情報に基づいて、前記ユーザのアカウントから預金を差し引く。もし予定時間を超えれば、前記翻訳機が相変わらず取出されない場合、前記メインチップは、前記電磁ロックにて前記バックルをロックさせて、前記翻訳機を再び固定し、且つレンタルが失敗したという通知情報をクラウドサーバーに送信する。クラウドサーバーは、前記通知情報によって、今回のレンタル操作を終止して、前記ユーザの携帯電話に「レンタル失敗」という通知情報を送信する。
【００７４】
リターンの場面において、ユーザは前記翻訳機をレンタル装置の何れか１つの空いている収納スロットの中に挿入し、前記翻訳機が前記空いている収納スロットの底部まで完全に挿入された時に、前記翻訳機の末端の第二電源ピンは、前記空いている収納スロットの底部の第一電源ピンと互いに接触し、前記第一電源ピンは前記レンタル装置のメインチップにハイレベルのホットプラグデバイス検出信号を送信して、翻訳機が挿入されたことを通知する。前記メインチップは、前記空いている収納スロットに対応する電磁ロックを制御して、前記空いている収納スロットのバックルをロックさせて、前記翻訳機を前記空いている収納スロットの中に確実に固定する。これと同時に、前記メインチップは、前記電源管理モジュールを制御して前記翻訳機に充電する。また、前記メインチップは、リーダーにより前記翻訳機のＲＦＩＤチップに格納された前記翻訳機の唯一の身分標識情報を読み取り、且つ第一電源ピンを介して前記翻訳機を再起動させる。
【００７５】
一方では、前記翻訳機からの正常に再起動したというフィードバック情報を受信すると、前記メインチップは、前記翻訳機が故障したかどうかを確認して、前記翻訳機の唯一の身分標識情報をクラウドサーバーに送信すると同時に、第一電源ピンを介して前記翻訳機に初期化操作を実行させるように制御して、前記翻訳機に格納されたユーザデータを取り除いて、ユーザ個人データの安全性を保障する。例えば、前記ユーザデータは、録音された音声データ及び翻訳データなどである。クラウドサーバーは、前記メインチップが発送した前記翻訳機の唯一の身分標識情報に基づいて、前記翻訳機が成功にリターンされたことを確認すると、差し引かれた預金をユーザのアカウントに払い戻し、且つユーザのアカウントから借り賃を差し引く。
【００７６】
その一方で、予定期間を超えたが、前記翻訳機から成功に再起動するというフィードバック情報を受信しない場合、前記メインチップは、前記翻訳機が故障したことを確認して、クラウドサーバーに故障情報及び前記翻訳機の唯一の身分標識情報を送信する。クラウドサーバーは、前記故障情報に基づいて、預かった携帯電話に通知情報を送信して、ユーザにリターンされた翻訳機が故障したことを通知することによって、故障した翻訳機を快速に回収してメンテナンスすることを実現する。前記預かった携帯電話は、レンタルユーザの携帯電話とメンテナンススタッフの携帯電話とを含む。これと同時に、クラウドサーバーは、前記故障情報及び前記翻訳機の唯一の身分標識情報に基づいて、前記翻訳機が成功にリターンされたことを確認すると、前記ユーザのアカウントに差し引かれた預金を前記ユーザのアカウントに払い戻し、且つユーザのアカウントから借り賃と修理代を差し引く。
【００７７】
盗難防止の場面において、レンタル装置のメインチップは赤外線センサーにより誰かが近づいていることを感知すると、カメラを起動して、レンズの前のシーンを撮影する。翻訳機が収納スロットの中から取出されたことを検出すると、現時点にレンタル操作を起動する記録があるかどうか又は新しいレンタル注文が発生するかどうかを検査する。もし、レンタル操作を起動する記録がない又は新しいレンタル注文が発生しなければ、スピーカーを介して警告音を出し且つ警報情報を生成して、撮影された画像又は影像情報及び前記警報情報をクラウドサーバーに送信する。すると、クラウドサーバーは、前記画像情報に基づいて、指定された管理者にアラームメッセージを送信することによって、レンタル装置内の翻訳機の安全を保障し、翻訳機が盗まれることを防止し、且つ盗まれたデバイスの回復を容易にする。
【００７８】
この実施形態において網羅的ではない詳細については、図１〜図７に示される実施形態の記載を参照されたい。
【００７９】
上記の実施形態が開示した共有デバイスレンタル装置は、メインチップを介して電磁ロックを制御して、収納スロットのバックルを開かせた後、収納スロットの底部に設けられたスプリングが前記共有デバイスをポップアップさせる。その一方で、前記共有デバイスが収納スロット内に挿入された時に、メインチップは電磁ロックを制御して前記共有デバイスをロックさせる。即ち、電磁ロック、バックル及びスプリングを設けることによって、共有デバイスをさらに便利に弾き出し及び回収して、レンタル装置の使い易さを高めることができる。そのほか、前記共有デバイスレンタル装置は、接触式通信の方式によりＲＦＩＤチップと通信して、ＲＦＩＤチップの小型の利点を留保しただけではなく、無線周波数通信が距離と伝送範囲を制御できない欠陥を避けて、ハードウェアのコストを削減することができる。
【００８０】
以上は、本発明によって提供される共有デバイスレンタル装置、方法及びシステムの説明である。当業者にとって、本発明の実施形態の主旨に基づいて、具体的な実施形態及び適用範囲を変更できることが明らかである。本明細書の記載は、本発明を制限するものではない。
【符号の説明】
【００８１】
１０        キャビネット
１１        メインチップ
１２        電磁ロック
１３        収納スロット
１４        バックル
１５        スプリング
１６        通信モジュール
１８        電源ピン
１９        電源管理モジュール
２０        センサー
２１        カメラ
２２        スキャナー
２３        ディスプレー
２４        管理モジュール
２５        レンタルボタン
２６        電源指示ランプ
２７        故障指示ランプ
３１        ブラケット
３２        マザーボード
３３        制御ボード
３４        リーダー
１２１      接続ロッド
１２２      ドライバー
１３１      凸部
１３２      リブ
１４１      隆起部
１８１      電源ピン
１８２      電源ピン
１８３      電源ピン
１８４      電源ピン
１８５      電源ピン
１８６      電源ピン
３０１      共有デバイス
３０２      レンタル装置
３０３      クラウドサーバー
３０１１    プロセッサー
３０１２    ＲＦＩＤチップ
３０１３    メモリー
３０１４    電源ピン
３０１５    充電式電池モジュール
【図１】
2021501922.tif 000003
【図２】
2021501922.tif 000004
【図３】
2021501922.tif 000005
【図４】
2021501922.tif 000006
【図５】
2021501922.tif 000007
【図６】
2021501922.tif 000008
【図７】
2021501922.tif 000009
【図８】
2021501922.tif 000010
【図９】
2021501922.tif 000011
【国際調査報告】
2021501922.tif 000012
2021501922.tif 000013
2021501922.tif 000014
2021501922.tif 000015
2021501922.tif 000016
2021501922.tif 000017